(57)【特許請求の範囲】
【請求項１】
構造部材（１）に溶接固定される基板部（３ａ）と、該基板部（３ａ）の両端から直角に屈曲して同方向に延び且つ金属製四角筒（２）の側面（２ａ）を抱持する一対の固定板部（３ｂ），（３ｂ）とからなり、該両固定板部（３ｂ），（３ｂ）における相対向する位置には、該固定板部（３ｂ），（３ｂ）の延設方向に延びる外向きのビード（４），（４）をそれぞれ形成するとともに、該両ビード（４），（４）には、前記金属製四角筒（２）の側面（２ａ）を貫通するボルト（５）が挿通され、該ビード（４），（４）の延設方向を長径とする長穴（６），（６）をそれぞれ形成したことを特徴とする固定金具。
【請求項２】
前記両固定板部（３ｂ），（３ｂ）における前記ビード（４），（４）の両側には、ビス穴（７），（８）をそれぞれ形成したことを特徴とする前記請求項１記載の固定金具。
【請求項３】
多数平行に配置された構造部材（１），（１）・・と、該構造部材（１），（１）・・に直交するように多数平行に配置された金属製四角筒（２），（２）・・と、該金属製四角筒（２），（２）・・と前記構造部材（１），（１）・・とを結合する固定金具（３），（３）・・とを備えた建造物用下地構造であって、前記各固定金具（３）を、前記構造部材（１）に溶接固定される基板部（３ａ）と、該基板部（３ａ）の両端から直角に屈曲して同方向に延び且つ前記金属製四角筒（２）の側面（２ａ）を抱持する一対の固定板部（３ｂ），（３ｂ）とにより構成するとともに、該両固定板部（３ｂ），（３ｂ）における相対向する位置には、該固定板部（３ｂ），（３ｂ）の延設方向に延びる外向きのビード（４），（４）をそれぞれ形成し且つ該両ビード（４），（４）には、前記金属製四角筒（２）の側面（２ａ）を貫通するボルト（５）が挿通され、該ビード（４），（４）の延設方向を長径とする長穴（６），（６）をそれぞれ形成したことを特徴とする建造物用下地構造。
【請求項４】
前記両固定板部（３ｂ），（３ｂ）における前記ビード（４），（４）の両側には、ビス穴（７），（８）を形成したことを特徴とする前記請求項３記載の建造物用下地構造。
【発明の詳細な説明】
【０００１】
【発明が属する技術分野】
本願発明は、鉄骨建築物の下地構造において用いられる固定金具およびこれを用いた建造物用下地構造に関するものである。
【０００２】
【従来の技術】
鉄骨建築物の下地構造としては、鋼製の構造部材（例えば、Ｈ型鋼等）にボルト挿通穴を形成したアングルピースを溶接固定し、軽量型鋼（例えば、リップ溝型鋼等）にボルト穴をあけ、前記アングルピースのボルト挿通穴および軽量型鋼のボルト穴を介してボルトにより締め付け固定するようにしたものが一般的であった。このような構造のものでは、重量がかさむこととなり、特に屋根の下地構造として利用することが難しいという問題があった。
【０００３】
ところで、薄板鋼板を使用した金属製四角筒が開発され、これを用いた下地構造が提案されるようになっている。
【０００４】
【発明が解決しようとする課題】
ところが、上記した金属製四角筒の場合、薄板鋼板で構成されているため、従来の軽量型鋼と同様に、アングルピースを用いたボルト締め付けとすると、締め付け部分が変形を起こすおそれがある。
【０００５】
本願発明は、上記の点に鑑みてなされたもので、金属製四角筒を構造部材に固定するために最適な固定金具を提供することを第１の目的とし、このような固定金具を用いて低コストで頑丈な建造物用下地構造を提供することを第２の目的とするものである。
【０００６】
【課題を解決するための手段】
請求項１の発明にかかる固定金具では、上記課題を解決するための手段として、構造部材１に溶接固定される基板部３ａと、該基板部３ａの両端から直角に屈曲して同方向に延び且つ金属製四角筒２の側面２ａを抱持する一対の固定板部３ｂ．３ｂとからなり、該両固定板部３ｂ．３ｂにおける相対向する位置に、該固定板部３ｂ．３ｂの延設方向に延びる外向きのビード４，４をそれぞれ形成するとともに、該両ビード４，４に、前記金属製四角筒２の側面２ａを貫通するボルト５が挿通され、該ビード４，４の延設方向を長径とする長穴６，６をそれぞれ形成している。
【０００７】
上記のように構成したことにより、剛性が強化されたビード４，４に形成された長穴６，６に挿通されて金属製四角筒２の側面２ａを貫通したボルト５の締め付け力により両固定板部３ｂ．３ｂが金属製四角筒２の側面２ａに圧接されることとなる。従って、金属製四角筒２の側面２ａの変形を防止した強固な固定構造が得られる。また、長穴６，６に挿通されたボルト５により固定できるため、構造部材１の溶接部位に不陸部分（即ち、構造部材１自体の凹凸、ひねりあるいは加工上の不手際等により生ずる変形）が発生していた場合にも、位置調整が簡単に行える。
【０００８】
請求項２の発明におけるように、請求項１記載の固定金具において、前記両固定板部３ｂ．３ｂにおける前記ビード４，４の両側に、ビス穴７，８を形成した場合、金属製四角筒２を延長接続するときに、ビス穴７，８を介してビス固定を容易に行うことができる。
【０００９】
請求項３の発明にかかる建造物用下地構造では、上記課題を解決するための手段として、多数平行に配置された構造部材１，１・・と、該構造部材１，１・・に直交するように多数平行に配置された金属製四角筒２，２・・と、該金属製四角筒２，２・・と前記構造部材１，１・・とを結合する固定金具３，３・・とを備えた建造物用下地構造において、前記各固定金具３を、前記構造部材１に溶接固定される基板部３ａと、該基板部３ａの両端から直角に屈曲して同方向に延び且つ前記金属製四角筒２の側面２ａを抱持する一対の固定板部３ｂ．３ｂとにより構成するとともに、該両固定板部３ｂ．３ｂにおける相対向する位置に、該固定板部３ｂ．３ｂの延設方向に延びる外向きのビード４，４をそれぞれ形成し且つ該両ビード４，４に、前記金属製四角筒２の側面２ａを貫通するボルト５が挿通され、該ビード４，４の延設方向を長径とする長穴６，６をそれぞれ形成している。
【００１０】
上記のように構成したことにより、構造部材１に金属製四角筒２を固定するに当たって、剛性が強化されたビードに形成された長穴６，６に挿通されて金属製四角筒２の側面２ａを貫通したボルト５の締め付け力により両固定板部３ｂ．３ｂが金属製四角筒２の側面２ａに圧接されることとなる。従って、金属製四角筒２の側面２ａの変形を防止した強固な固定構造が得られる。また、長穴６，６に挿通されたボルト５により固定できるため、構造部材１の溶接部位に不陸部分（即ち、構造部材１自体の凹凸、ひねりあるいは加工上の不手際等により生ずる変形）が発生していた場合にも、位置調整が簡単に行える。
【００１１】
請求項４の発明におけるように、請求項３記載の固定金具において、前記両固定板部３ｂ．３ｂにおける前記ビード４，４の両側に、ビス穴７，８を形成した場合、金属製四角筒２，２を延長接続するときに、ビス穴７，８を介してビス固定を容易に行うことができる。
【００１２】
【発明の実施の形態】
以下、添付の図面を参照して本願発明の好適な実施の形態について詳述する。
【００１３】
この建造物用下地構造は、屋根の下地構造であって、図１に示すように、屋根構造を支えるべく所定間隔で配置されたＨ型鋼からなる構造部材１，１・・上に金属製四角柱２，２・・を軒先から棟に向かって所定間隔で並べ、これらの金属製四角柱２，２・・を前記構造部材１，１・・に対して後述する固定金具３，３・・により固定するようにしている。
【００１４】
前記各固定金具３は、図２ないし図４に示すように、前記構造部材１に溶接固定される基板部３ａと、該基板部３ａの両端から直角に屈曲して同方向に延び且つ金属製四角筒２の側面２ａ，２ａを抱持する一対の固定板部３ｂ．３ｂとからなっており、該両固定板部３ｂ．３ｂにおける相対向する位置（即ち、幅方向中央部）には、該固定板部３ｂ．３ｂの延設方向に延びる外向きのビード４，４がそれぞれ形成され且つ該両ビード４，４には、前記金属製四角筒２の側面２ａ，２ａを貫通するボルト５が挿通され、該ビード４，４の延設方向を長径とする長穴６，６がそれぞれ形成されている。該長穴６，６の位置は、前記固定板部３ｂ．３ｂで金属製四角筒２を抱持した状態において該金属製四角筒２の側面２ａ，２ａの略中央部に対応する位置とするのが望ましい。また、前記両固定板部３ｂ．３ｂにおける前記ビード４，４の両側には、３個づつのビス穴７，７，７および８，８，８が前記ビード４，４の延設方向に並んで形成されている。
【００１５】
なお、前記各金属製四角筒２は、図３および図４に示すように、所定の幅に切断された金属板をその両端がコーナの一点において接するように四角筒状に折曲して構成されており、前記金属板の一方の端部には、前記金属製四角筒２の内側に折曲され、さらにその先端部が外側に向かって折曲されてなる逆Ｊ字状折曲部１０が設けられ、前記金属板の他方の端部には、内側に逆Ｕ字状に折曲されてなる逆Ｕ字状折曲部１１が設けられており、両者を連続して嵌合圧着せしめて上下方向に連続するコーナ型接続部９として成形されている。
【００１６】
上記構成の固定金具３を用いた建造物用下地構造について説明する。
【００１７】
まず、前述したように、屋根構造を支えるべく所定間隔で配置された構造部材１，１・・上の所定位置に前記固定金具３，３・・の基板部３ａ，３ａ・・を溶接により固定する。そして、前記各固定金具３における固定板部３ｂ．３ｂに対して金属製四角筒２を挿入する。なお、金属製四角筒２の側面２ａ，２ａには、予めボルト挿通用のバカ穴１２，１２が形成されている。
【００１８】
上記状態において、前記固定板部３ｂ．３ｂのビード４，４に形成された長穴６，６の一方から前記バカ穴１２，１２および他方の長穴６を貫通させてボルト５を挿入し、該ボルト５の他端にナット１３を螺着することにより締め付け固定する。符号１４はワッシャである。
【００１９】
上記のように構成したことにより、剛性が強化されたビード４，４に形成された長穴６，６に挿通されて金属製四角筒２の側面２ａ，２ａを貫通したボルト５の締め付け力により両固定板部３ｂ．３ｂが金属製四角筒２の側面２ａ，２ａに圧接されることとなる。従って、金属製四角筒２の側面２ａ，２ａの変形を防止した強固な固定構造が得られる。また、長穴６，６に挿通されたボルト５により固定できるため、構造部材１の溶接部位に不陸部分（即ち、構造部材１自体の凹凸、ひねりあるいは加工上の不手際等により生ずる変形）が発生していた場合にも、位置調整が簡単に行える。
【００２０】
ところで、金属製四角筒２，２を延長接続する場合には、図５に示すように、両金属製四角筒２，２の端部を突き合わせ状態として固定金具３の固定板部３ｂ．３ｂに挿入し、一方の金属製四角筒２の端部にボルト５を貫通させて締め付け固定した後、ビス穴７，７，７および８，８，８からビス１５，１５・・をねじ込むことにより両金属製四角筒２，２が延長接続される。
【００２１】
上記実施の形態においては、屋根の下地構造を例としているが、この固定金具は、外壁用の下地構造等の建造物用下地構造にも利用できることは勿論である。
【００２２】
また、金属製四角筒も、薄板鋼板からなる四角筒であれば、他の構造のものを使用できることは勿論である。
【００２３】
【発明の効果】
請求項１の発明にかかる固定金具によれば、構造部材１に溶接固定される基板部３ａと、該基板部３ａの両端から直角に屈曲して同方向に延び且つ金属製四角筒２の側面２ａを抱持する一対の固定板部３ｂ．３ｂとからなり、該両固定板部３ｂ．３ｂにおける相対向する位置に、該固定板部３ｂ．３ｂの延設方向に延びる外向きのビード４，４をそれぞれ形成するとともに、該両ビード４，４に、前記金属製四角筒２の側面２ａを貫通するボルト５が挿通され、該ビード４，４の延設方向を長径とする長穴６，６をそれぞれ形成して、剛性が強化されたビード４，４に形成された長穴６，６に挿通されて金属製四角筒２の側面２ａを貫通したボルト５の締め付け力により両固定板部３ｂ．３ｂが金属製四角筒２の側面２ａに圧接されるようにしたので、金属製四角筒２の側面２ａの変形を防止した強固な固定構造が得られるという効果がある。また、長穴６，６に挿通されたボルト５により固定できるため、構造部材１の溶接部位に不陸部分（即ち、構造部材１自体の凹凸、ひねりあるいは加工上の不手際等により生ずる変形）が発生していた場合にも、位置調整が簡単に行えるという効果もある。
【００２４】
請求項２の発明におけるように、請求項１記載の固定金具において、前記両固定板部３ｂ．３ｂにおける前記ビード４，４の両側に、ビス穴７，８を形成した場合、金属製四角筒２を延長接続するときに、ビス穴７，８を介してビス固定を容易に行うことができる。
【００２５】
請求項３の発明にかかる建造物用下地構造によれば、多数平行に配置された構造部材１，１・・と、該構造部材１，１・・に直交するように多数平行に配置された金属製四角筒２，２・・と、該金属製四角筒２，２・・と前記構造部材１，１・・とを結合する固定金具３，３・・とを備えた建造物用下地構造において、前記各固定金具３を、前記構造部材１に溶接固定される基板部３ａと、該基板部３ａの両端から直角に屈曲して同方向に延び且つ前記金属製四角筒２の側面２ａを抱持する一対の固定板部３ｂ．３ｂとにより構成するとともに、該両固定板部３ｂ．３ｂにおける相対向する位置に、該固定板部３ｂ．３ｂの延設方向に延びる外向きのビード４，４をそれぞれ形成し且つ該両ビード４，４に、前記金属製四角筒２の側面２ａを貫通するボルト５が挿通され、該ビード４，４の延設方向を長径とする長穴６，６をそれぞれ形成して、構造部材１に金属製四角筒２を固定するに当たって、剛性が強化されたビードに形成された長穴６，６に挿通されて金属製四角筒２の側面２ａを貫通したボルト５の締め付け力により両固定板部３ｂ．３ｂが金属製四角筒２の側面２ａに圧接されるようにしたので、金属製四角筒２の側面２ａの変形を防止した強固な固定構造が得られるという効果がある。また、長穴６，６に挿通されたボルト５により固定できるため、構造部材１の溶接部位に不陸部分（即ち、構造部材１自体の凹凸、ひねりあるいは加工上の不手際等により生ずる変形）が発生していた場合にも、位置調整が簡単に行えるという効果もある。
【００２６】
請求項４の発明におけるように、請求項３記載の固定金具において、前記両固定板部３ｂ．３ｂにおける前記ビード４，４の両側に、ビス穴７，８を形成した場合、金属製四角筒２，２を延長接続するときに、ビス穴７，８を介してビス固定を容易に行うことができる。
【図面の簡単な説明】
【図１】本願発明の実施の形態にかかる建造物用下地構造（例えば、屋根用下地構造）の要部を示す斜視図である。
【図２】本願発明の実施の形態にかかる固定金具の拡大斜視図である。
【図３】本願発明の実施の形態にかかる建造物用下地構造の要部を示す拡大斜視図である。
【図４】図３のＩＶ−ＩＶ断面図である。
【図５】本願発明の実施の形態にかかる建造物用下地構造の要部（金属製四角筒の延長接続部）を示す拡大斜視図である。
【符号の説明】
１は構造部材、２は金属製四角筒、３は固定金具、３ａは基板部、３ｂは固定板部、４はビード、５はボルト、６は長穴、７，８はビス穴。
【図１】
0004082828.tif 000002
【図２】
0004082828.tif 000003
【図３】
0004082828.tif 000004
【図４】
0004082828.tif 000005
【図５】
0004082828.tif 000006